(57)【要約】【課題】  「車載用オーディオ装置およびオーディオシステム」における描画性能や必要メモリ容量を引き上げることなく、ナビゲーション装置を接続した際に、そのナビゲーション映像に匹敵する表示品位でオーディオ装置に係る映像を表示できるようにする。【解決手段】  車載用オーディオ装置２０に携帯型ナビゲーション装置３０が接続されている場合に、再生コンテンツの属性情報、例えば、曲名リスト、アルバムジャケット画像などの出力要求を、携帯型ナビゲーション装置３０側に送出し、その出力映像データがある場合に、ＯＳＤコントローラ６６で生成される映像データに代えて、これをディスプレイ６２上に表示する。【選択図】        図１
2008213752.tif 000002
【特許請求の範囲】
【請求項１】
携帯型ナビゲーション装置を接続可能にした車載用オーディオ装置であって、
ディスプレイと、
前記オーディオ装置に係る映像データを生成する映像データ生成手段と、
前記オーディオ装置に係る映像データの出力を、前記携帯型ナビゲーション装置に要求する映像データ出力要求手段と、
前記映像データ生成手段により生成されたオーディオ映像データ、または前記携帯型ナビゲーション装置にから出力されたオーディオ映像データを、前記ディスプレイ上に選択的に表示する映像表示手段と、
を備える車載用オーディオ装置。
【請求項２】
前記映像表示手段が、前記映像データ生成手段により生成されたオーディオ映像データと、前記携帯型ナビゲーション装置により出力されたオーディオ映像データを結合して、前記ディスプレイ上に表示する合成表示機能を備える請求項１に記載の車載用オーディオ装置。
【請求項３】
前記映像データ生成手段が、ＯＳＤコントローラを含み、前記オーディオ装置に係る映像データがＯＳＤに係る映像である請求項１に記載の車載用オーディオ装置。
【請求項４】
前記オーディオ映像データの出力要求をするためのシリアル通信路を含む、前記携帯型ナビゲーション装置とのインタフェースを、更に備える請求項１に記載の車載用オーディオ装置。
【請求項５】
前記インタフェースに、前記携帯型ナビゲーション装置が接続されていることを検知する接続検知手段を更に備え、
前記映像データ出力要求手段が、前記接続検知手段によって前記携帯型ナビゲーション装置が前記インタフェースに接続されていると判断される場合に、前記オーディオ装置に係る映像データの出力を要求する請求項４に記載の車載用オーディオ装置。
【請求項６】
映像データの処理機能を備えた携帯型ナビゲーション装置と、請求項１ないし５いずれか１つに記載の車載用オーディオ装置とで構成されるオーディオシステムであって、
前記携帯型ナビゲーション装置が、前記オーディオ装置からの映像データの出力要求に応じて、該映像データを出力する映像データ出力手段を備えるオーディオシステム。
【請求項７】
前記携帯型ナビゲーション装置が、前記オーディオ装置に係る映像データを保持するメモリ領域を備える請求項７に記載のオーディオシステム。
【請求項８】
前記携帯型ナビゲーション装置が、前記オーディオ装置からの映像データ出力要求に応じて、該映像データを生成する映像データ生成手段を備える請求項８に記載のオーディオシステム。
【発明の詳細な説明】
【技術分野】
【０００１】
本発明は、携帯型ナビゲーション装置を接続してその映像をオーディオ装置のディスプレイ上で見られるよう構成した車載用オーディオ装置およびオーディオシステムに関し、特に、オーディオ装置に係る映像データの表示品質の改善に関するものである。
【背景技術】
【０００２】
車内でＣＤメディアやオーディオ端末の音楽コンテンツや、ＤＶＤメディアなどのビデオコンテンツを楽しむための車載用オーディオ装置あるいは車載用ＡＶ（Audio and Video）装置（本書ではこれらを総称して車載用オーディオ装置という）が広く普及している。これに加え、近年では、目的地までの経路を探索し、これを案内するナビゲーション装置も広く利用されている。従来からこの種のナビゲーション装置においては、オーディオ装置と共に車両のコンソールに設置される車載型のタイプのものの他、利用者が携帯できるようにオーディオ装置に対して接続できるように構成された携帯型ナビゲーション装置またはＰＮＤ（Portable Navigation Device）がある。
【０００３】
携帯型ナビゲーション装置に対応したオーディオ装置においては、その筐体を収容し、接続インタフェースを介してナビゲーション映像を、オーディオ装置のディスプレイ上に表示できるようにする。すなわち、このタイプのオーディオ装置のディスプレイ上には、曲名リストなどのＯＳＤ（On Screen Display）コントローラにより生成されるオーディオ装置に係る映像データの表示と、携帯型ナビゲーション装置からのナビゲーション映像が、選択的に表示されることとなる。
【発明の開示】
【発明が解決しようとする課題】
【０００４】
しかしながら、この種の携帯型ナビゲーション装置を接続可能としたオーディオ装置においては、これらの映像の表示上、以下のような問題が生じる。すなわち、一般に、ＯＳＤ映像などのオーディオ装置に係る映像データは、装置内のＯＳＤコントローラおよびこの映像データを保持するためのメモリ空間上の割当て領域（以下、表示メモリという）を活用して生成されるが、その対象データは文字および比較的簡素なアイコンデータなどに限られているために、その描画性能およびメモリ容量は比較的低性能、小容量のもので足りる。一方で、車載型ナビゲーション装置においては、２次元または３次元の映像をリアルタイム処理する必要があると共に、これに備えられたディスプレイはオーディオ装置のそれに比して大型であるために、比較的高度な処理性能を持った描画コントローラおよび、比較的大容量の表示メモリ領域を備えており、その表示される映像の品位は、オーディオ装置で表示される映像データに比して高い。その結果、これらの映像が同じディスプレイ上に表示される場合に、両映像の表示品位の差が顕著に出てしまうという問題があった。
【０００５】
本発明に関連して、情報処理装置に、内部ディスプレイ装置の表示解像度よりも大きな解像度をもつ外部ディスプレイ装置を接続可能にして、その表示データを外部ディスプレイ装置にも表示する技術が、特許文献１に開示されている。しかしながら、本文献に開示の技術では、接続された外部ディスプレイによって、内部ディスプレイに表示されるデータの歪みは少なくなるものの、その表示データの処理は同一のＣＰＵおよびメモリを通して行われており、そのために、文字自体の解像度や精細度が向上することはなく、これによって前記従来の問題を解決することはできない。
【０００６】
また、本発明に関連して、ネットワークシステム内の複数の電子機器において、それらのグラフィック性能を比較調査し、相対的にグラフィック性能の高い機器を所定のＧＵＩデータ処理に割り当てる技術が、特許文献２に開示されている。しかしながら、この技術においては、各機器のグラフィク性能を調査し、比較検討し、さらにこれを制御する中心的な制御装置がネットワークシステム内に必要であり、この技術を前記問題点の解決のために利用するには、オーディオ装置内に高い処理能力を持ったＣＰＵないしはコントローラが必要となり、これは装置の生産コストを引き上げる。
【０００７】
【特許文献１】特開平１１−９５７３２号公報
【特許文献２】特開２００１−１８４１８８号公報
【０００８】
従って、本発明の目的は、オーディオ装置における描画性能や必要メモリ容量を引き上げることなく、ナビゲーション装置を接続した際に、そのナビゲーション映像に匹敵する表示品位で、オーディオ装置に係る映像を表示できるようにすることにある。
【課題を解決するための手段】
【０００９】
本発明は、携帯型ナビゲーション装置を接続可能にした車載用オーディオ装置であって、ディスプレイと、前記オーディオ装置に係る映像データを生成する映像データ生成手段と、前記オーディオ装置に係る映像データの出力を、前記携帯型ナビゲーション装置に要求する映像データ出力要求手段と、前記映像データ生成手段により生成されたオーディオ映像データ、または前記携帯型ナビゲーション装置にから出力されたオーディオ映像データを、前記ディスプレイ上に選択的に表示する映像表示手段と、を備える。
【００１０】
好ましくは、前記映像表示手段が、前記映像データ生成手段により生成されたオーディオ映像データと、前記携帯型ナビゲーション装置により出力されたオーディオ映像データを結合して、前記ディスプレイ上に表示する合成表示機能を備える。
【００１１】
好ましくは、前記映像データ生成手段が、ＯＳＤコントローラを含み、前記オーディオ装置に係る映像データがＯＳＤに係る映像である。
【００１２】
また、好ましくは、前記オーディオ映像データの出力要求をするためのシリアル通信路を含む、前記携帯型ナビゲーション装置とのインタフェースを、更に備える。この場合に、好ましくは、前記インタフェースに、前記携帯型ナビゲーション装置が接続されていることを検知する接続検知手段を更に備え、前記映像データ出力要求手段が、前記接続検知手段によって前記携帯型ナビゲーション装置が前記インタフェースに接続されていると判断される場合に、前記オーディオ装置に係る映像データの出力を要求するものである。
【００１３】
本発明は、また、映像データの処理機能を備えた携帯型ナビゲーション装置と、前記車載用オーディオ装置とで構成されるオーディオシステムであって、前記携帯型ナビゲーション装置が、前記オーディオ装置からの映像データの出力要求に応じて、該映像データを出力する映像データ出力手段を備える。
【００１４】
好ましくは、前記携帯型ナビゲーション装置が、前記オーディオ装置に係る映像データを保持するメモリ領域を備える請求項７に記載のオーディオシステム。また、好ましくは、前記携帯型ナビゲーション装置が、前記オーディオ装置からの映像データ出力要求に応じて、該映像データを生成する映像データ生成手段を備える。
【発明の効果】
【００１５】
本発明によれば、比較的処理能力が高くかつ映像用メモリ領域の広い携帯型ナビゲーション装置において、オーディオ装置に係る映像データを出力するようにしているため、ナビゲーション映像データ相応のオーディオ映像データが得られ、ディスプレイの表示品位に差が無くなるとともに、高度な映像処理を要する画像データなどをディスプレイ上に表示できるようになるという効果がある。
【発明を実施するための最良の形態】
【００１６】
本発明の最良の実施の形態について図面を参照して詳細に説明する。
【実施例】
【００１７】
本実施例では、好ましい一例として、オーディオおよびビジュアル再生機能を備えたオーディオ装置に、携帯型ナビゲーション装置を接続してなるオーディオシステムを用いる。オーディオ装置は、アダプターを介して種々のポータブルメディアに記憶されたオーディオデータの検索および再生が可能である。ポータブルメディアは、例えば、ＵＳＢ接続、ＩＥＥＥ１３９４、ブルートゥース、その他の規格により接続されるものであって、半導体メモリ、ＣＤやＤＶＤ等のディスクドライブ装置、ハードディスクドライブ装置その他の記憶媒体である。ポータブルメディアに記憶されるオーディオデータは、オーディオ装置において再生可能であればよく、オーディオデータの格納形式は、ＭＰ３やＷＭＡのようなフォーマットで圧縮されたものであってもよい。
【００１８】
図１は、本実施例に係るオーディオシステムを示すブロック図である。オーディオシステム１０は、オーディオ装置２０と、携帯型ナビゲーション装置３０とを含んで構成される。携帯型ナビゲーション装置３０は、オーディオ装置２０に備えられたインタフェース５０を介して接続され、相互にデータ交換ができるようになる。インタフェース５０は、ここでは図示しないが、ポータブルメディアを接続したアダプターとの間でも相互にデータ交換できるようになっている。オーディオ装置２０は、インタフェース５０を介して、ポータブルメディアおよび携帯型ナビゲーション装置３０から得られたディジタルオーディオ信号を、アナログオーディオ信号に変換するディジタル／アナログコンバータ（ＤＡＣ）５２、アナログオーディオ信号を増幅するアンプ５４、増幅されたオーディオ信号を可聴音に変換するスピーカ５６、タッチパネルやリモートコントローラ等によりユーザからの入力を受け取る入力部５８、各部を制御するマイクロコントローラ６０を含んでいる。オーディオ装置２０は、また、映像表示に関連する構成要素として、ディスプレイ６２、ディスプレイ６２上の映像データの表示を制御する表示コントローラ６４、曲名やアルバム名などのオーディオデータに準ずる属性情報や各種のコントロールボタンなどを、ディスプレイ６２に表示する映像データとして生成するＯＳＤコントローラ６６、およびこの映像データを保持するための表示メモリ６８を含んでいる。表示メモリ６８は、ＯＳＤコントローラ６６に係る映像データ専用の物理メモリでもよいし、オーディオ装置２０上の汎用メモリにおける所定の割当てメモリ領域でもよい。
【００１９】
表示コントローラ６４には、ＯＳＤコントローラ６６で生成された映像データ、およびインタフェース５０を介して携帯型ナビゲーション装置３０から出力されてくる映像データの２種類の映像データが入力されるように配線されており、マイクロコントローラ６０からの選択信号に従って、何れかの映像データを表示データとしてディスプレイ６２に出力するものである。また、表示コントローラ６４は、その内部にこれら２種類の映像を結合して出力する合成表示機能を備えている。状況に応じてマイクロコントローラ６０は、この結合された映像をディスプレイ６２への出力信号とするように、表示コントローラ６４を制御する。この利用態様については後述する。
【００２０】
インタフェース５０は、ここでは図示しないが、携帯型ナビゲーション装置３０を機械的および電気的にオーディオ装置２０側に接続するコネクタを含んでいる。このコネクタに接続された携帯型ナビゲーション装置３０は、インタフェース５０を介してマイクロコントローラ６０とシリアル通信路７０でのデータ交換が可能になる。後述するように、このシリアル通信路７０は、マイクロコントローラ６０から携帯型ナビゲーション装置３０へ、映像データの出力要求を送出するため、および携帯型ナビゲーション装置３０がコネクタに接続されていることを検知する信号を送受するためなどに利用される。オーディオ装置２０および携帯型ナビゲーション装置３０は、携帯型ナビゲーション装置３０がオーディオ装置２０のインタフェース５０に接続されたとき、これを検知できるように構成されている。この検出方法としては、オーディオ装置２０のマイクロコントローラ６０からインタフェース５０へポーリング信号を常時送出して検出する方法、携帯型ナビゲーション装置３０側から信号を送出して検出する方法、コネクタ回りにマイクロスイッチなどの物理スイッチを設けてその出力信号を検出する方法などがある。
【００２１】
図２は、本実施例で用いられる携帯型ナビゲーション装置３０の一例を示すブロック図である。図において、携帯型ナビゲーション装置３０は、オーディオ装置２０のインタフェース５０と接続されるインタフェース８０、ＧＰＳ衛星からの電波を受信して現在位置と現在方位を測位するＧＰＳ受信機８２、アンテナ８４を介して周囲の現在の道路交通情報を受信するＶＩＣＳ（Vehicle Information and Communication）・ＦＭ多重レシーバ８６、操作ボタンやタッチパネルを含むユーザ入力インタフェース８８、大容量のハードディスクを有する記憶装置９０、スピーカ９２から音声を出力させる音声出力部９４、ディスプレイ９６に画像を表示させる表示制御部９８、プログラムを記憶するプログラムメモリ１００、データを一時記憶するデータメモリ１０２、および制御部１０４を含んでいる。
【００２２】
記憶装置９０は、ナビゲーションの各種機能を実行するためのプログラムおよび地図データや施設データなどのデータベースを記憶すると共に、本発明に関連して、オーディオ装置２０で再生するコンテンツの属性情報、例えば、曲名、アルバム名、アーティスト、アルバムジャケット画像などの情報をデータベースとして保持することができる。プログラムメモリ１００は、ユーザの要求に応じて、記憶装置９０に記憶された各種プログラムをロードし、制御部１０４と連携して、ナビゲーションシステムとしての基本機能、すなわち自車位置検出、ルート探索、周辺施設表示などを実現する。データメモリ１０２は、これらプログラムの実行に際して読み出される各種情報や地図データを一時記憶する。
【００２３】
携帯型ナビゲーション装置３０における、制御部１０４を実現するマイクロコントローラは、一般に、画像をリアルタイム処理するなどの必要から、オーディオ装置２０に備えられたマイクロコントローラ６０に対して、高性能のものが使用される。また、記憶装置９０、プログラムメモリ１００およびデータメモリ１０２などの携帯型ナビゲーション装置３０上の記憶媒体は、ナビゲーションに係る大量のデータを表示処理するなどの必要から、オーディオ装置２０に備えられた表示メモリ６８を含むメモリに対して、大容量のものが使用される。このことから、携帯型ナビゲーション装置３０側には、オーディオ装置２０で再生されるコンテンツデータの属性情報に関して、オーディオ装置２０側では用意できない高品位のデータが記録または生成できる。例えば、曲名リストのような文字列からなるリストをＯＳＤ表示する場合に、携帯型ナビゲーション装置３０側では、高解像度の文字データを用意できるし、また、アルバムジャケット映像などのグラフィック画像データを用意することができる。
【００２４】
携帯型ナビゲーション装置３０は、そのインタフェース８０を介してオーディオ装置２０に接続されたとき、オーディオ装置２０との間でデータ交換可能になる。すなわち、携帯型ナビゲーション装置３０は、オーディオ装置２０のシリアル通信路７０を通してそのマイクロコントローラ６０からの各種要求信号を受け、必要な映像データを生成してオーディオ装置２０側の表示コントローラ６４に出力する。本件に関連して、オーディオ装置２０でオーディオ再生がなされる場合に、マイクロコントローラ６０から対象コンテンツの属性情報の出力要求がなされると、携帯型ナビゲーション装置３０は、対象の属性情報を記憶装置９０内のデータベースから検索して、これをデータメモリ１０２に読み出し、必要な処理を施した上で、オーディオ装置２０側へ出力する。
【００２５】
次に、前記オーディオシステム１０において、そのディスプレイ６２上にコンテンツ再生情報を表示する場合の動作手順について、図１および図３を参照しつつ、説明する。図３は、音楽などのコンテンツの再生要求がユーザからなされた場合の映像データの表示制御を示すフローチャートである。入力部５８を介してユーザが音楽などのコンテンツの再生要求を出すことで、コンテンツの再生動作と並行して、本フローチャートに係る表示処理１１０が開始される。
【００２６】
処理の最初で、オーディオ装置２０のマイクロコントローラ６０は、携帯型ナビゲーション装置（ＰＮＤ）３０がインタフェース５０に接続されているか確認する（ステップＳ１１２）。そして、携帯型ナビゲーション装置３０が接続されていると判断される場合、処理はステップＳ１１４に移り、マイクロコントローラ６０はシリアル通信路７０を介して、携帯型ナビゲーション装置３０に、対象コンテンツの映像データを出力するよう要求する。処理は、この要求に対する応答信号を待ち受け（ステップＳ１１６）、携帯型ナビゲーション装置３０からの映像データの出力がある場合には、この映像データがディスプレイ６２上に表示されるよう、表示コントローラ６４を制御する（ステップＳ１１８）。表示コントローラ６４はこの指示に従って、携帯型ナビゲーション装置３０からの映像データをディスプレイ６２上に表示する（ステップＳ１２０）。
【００２７】
一方で、ステップＳ１１２で、携帯型ナビゲーション装置３０がインタフェース５０に接続されていないと判断される場合、およびステップＳ１１６で、携帯型ナビゲーション装置３０からの応答信号が得られない場合、再生コンテンツの映像データの出力を、オーディオ装置２０内のＯＳＤコントローラ６６に要求する（ステップＳ１２２）。そして、この映像データがディスプレイ６２上に表示されるよう、表示コントローラ６４を制御する（ステップＳ１２４）。表示コントローラ６４はこの指示に従って、ＯＳＤコントローラ６６からの映像データをディスプレイ６２上に表示する（ステップＳ１２０）。以上のような処理を経て、オーディオ装置２０は、そのインタフェース５０に携帯型ナビゲーション装置３０が接続されている場合には、そこからの高品位の映像データをディスプレイ６２上に表示し、一方で、携帯型ナビゲーション装置３０が接続されていない場合には、その内部のＯＳＤコントローラ６６で生成された映像データを表示する。
【００２８】
図４は、オーディオ装置のディスプレイの表示例を示しており、それぞれ、携帯型ナビゲーション装置を接続しない場合のコンテンツデータの表示例（同図（ａ））、接続した場合の表示例（同図（ｂ））を示している。同図（ａ）に示されるように、携帯型ナビゲーション装置３０を接続しない状態においては、表示メモリ６８の容量制約などからポータブルメディア内の総曲数および総再生時間の情報のみが、ディスプレイ６２上に表示される。一方で、同図（ｂ）に示されるように、携帯型ナビゲーション装置３０を接続した状態では、高精細の文字で曲名リスト、アイコン、アルバムジャケット画像などが表示される。
【００２９】
なお、曲名リストのスクロール表示など、高速描画処理を要求される表示処理を必要とする場合、これを携帯型ナビゲーション装置３０側で行わせようとすると、シリアル通信に掛かる時間が多くなり、描画スピードおよび操作レスポンスが遅くなる場合がある。このような場合は、同図（ｂ）の曲名リストの表示などの高速レスポンスが要求されるものについては、オーディオ装置２０のＯＳＤコントローラ側でこれを生成し、アルバムジャケット画像などのそれ以外のグラフィック表示については携帯型ナビゲーション装置３０側で生成し、これらを合成して表示することも可能である。
【００３０】
なお、前記実施例では、携帯型ナビゲーション装置３０側に、予めオーディオ装置２０で再生するコンテンツデータの属性情報を保持して、これをオーディオ装置側に出力させる例を示したが、オーディオ装置側からの要求に応じて携帯型ナビゲーション装置３０側でそのようなデータを生成するよう構成することもできるし、また、無線通信回線を通して、携帯型ナビゲーション装置３０側でコンテンツデータの属性情報を逐次取得し、出力するように構成することもできる。
【００３１】
以上、本発明の好ましい実施の形態について詳述したが、本発明に係る特定の実施形態に限定されるものではなく、特許請求の範囲に記載された本発明の要旨の範囲内において、種々の変形・変更が可能である。
【産業上の利用可能性】
【００３２】
本発明は、携帯型ナビゲーション装置を接続可能な車載用オーディオ装置およびオーディオシステムにおいて利用される。
【図面の簡単な説明】
【００３３】
【図１】本実施例に係るオーディオシステムを示すブロック図である。
【図２】本実施例で用いられる携帯型ナビゲーション装置の一例を示すブロック図である。
【図３】コンテンツの再生要求がなされた場合の映像データの表示制御を示すフローチャートである。
【図４】オーディオ装置のディスプレイの表示例を示しており、それぞれ、携帯型ナビゲーション装置を接続しない場合のコンテンツデータの表示例（同図（ａ））、接続した場合の表示例（同図（ｂ））を示している。
【符号の説明】
【００３４】
１０：オーディオシステム              ２０：オーディオ装置
３０：携帯型ナビゲーション装置        ５０：インタフェース
５２：ＤＡＣ                          ５４：アンプ
５６：スピーカ                        ５８：入力部
６０：マイクロコントローラ            ６２：ディスプレイ
６４：表示コントローラ                ６６：ＯＤＳコントローラ
６８：表示メモリ                      ７０：シリアル通信路
８０：インタフェース                  ８２：ＧＰＳ受信機
８４：アンテナ                        ８６：ＶＩＣＳ・ＦＭ多重レシーバ
８８：ユーザ入力インタフェース        ９０：記憶装置
９２：スピーカ                        ９４：音声出力部
９６：ディスプレイ                    ９８：表示制御部
１００：プログラムメモリ            １０２：データメモリ
１０４：制御部
【図１】
2008213752.tif 000003
【図２】
2008213752.tif 000004
【図３】
2008213752.tif 000005
【図４】
2008213752.tif 000006